(57)【特許請求の範囲】
【請求項１】
ユニットハウスに装着する歩廊構造において、歩廊床と、該歩廊床のユニットハウス側に予め設けられた歩廊受金具と、該歩廊床の外側面に立設した一対の歩廊屋根柱とで床ユニットを構成し、各歩廊屋根柱の上端部に着脱自在に連結される歩廊屋根と、該歩廊屋根に予め設けられユニットハウスに連結する歩廊屋根受金具とで屋根ユニットを構成し、歩廊床に設けた歩廊受金具をユニットハウスに連結して床ユニットを固定するように構成し、前記歩廊床と前記ユニットハウスの外側面とを支持することで前記歩廊床を支える支保梁を設け、該支保梁を前記歩廊床の下面に折り重なるように収納自在に連結し、
前記歩廊床の上面に前記歩廊屋根柱が折り重なるように揺動自在に連結して前記床ユニットと共に前記歩廊屋根柱を設置するように構成し、
前記歩廊受金具に固定された前記歩廊床の長手端部にササラ接続金具を連結して該ササラ接続金具にササラ踏み板を固定する階段ユニットを備えたことを特徴とするユニットハウスの外階段用歩廊構造。
【発明の詳細な説明】
【技術分野】
【０００１】
本発明は、ユニットハウスに外階段等を取付ける際に装着するユニットハウス用歩廊構造に係り、特に歩廊の手摺や壁パネルを任意に交換することが可能なユニットハウス用歩廊構造に関するものである。
【背景技術】
【０００２】
従来、複数階建の仮設組立家屋に外付けにて取付けられる階段ユニットとして、当出願人が先に提案した階段ユニットがある（特許文献１）。
【０００３】
この階段ユニットによると、階段や踊場を、屋根と側壁とによって入口以外の周囲は全て側壁によって覆うように構成することで、外階段であっても全く風雨にさらされることがなくなり、外観上も良好となるというものである。
【先行技術文献】
【特許文献】
【０００４】
【特許文献１】特開平６−２６４５８０号公報
【発明の概要】
【発明が解決しようとする課題】
【０００５】
ところが、特許文献１に記載の階段ユニットは、入口以外の階段や踊場は全て側壁によって覆われているので、ユニットハウスの構造としては部品点数が極めて多く、重量も重くなるので、運搬や設置を容易にすることは困難であった。
【０００６】
更に、ユニットハウスでは、外階段の歩廊や踊場に、壁パネルに替えて手摺を設置するといった設計変更も多い。しかしながら、従来の構造では、このような設計変更に簡単に応えることはできない構成である。
【０００７】
そこで本発明は、上述の課題を解消すべく案出されたもので、ユニットハウス用の歩廊の部品点数を極力少なくして軽量化することで運搬や設置が容易になり、設計変更にも簡単に対応することができるユニットハウス用歩廊構造の提供を目的とするものである。
【課題を解決するための手段】
【０００８】
上述の目的を達成すべく本発明における第１の手段は、ユニットハウスＰに装着する歩廊構造において、歩廊床１１と、該歩廊床１１のユニットハウスＰ側に予め設けられた歩廊受金具１２と、該歩廊床１１の外側面に立設した一対の歩廊屋根柱１３とで床ユニット１０を構成し、各歩廊屋根柱１３の上端部に着脱自在に連結される歩廊屋根２１と、該歩廊屋根２１に予め設けられユニットハウスＰに連結する歩廊屋根受金具２２とで屋根ユニット２０を構成し、歩廊床１１に設けた歩廊受金具１２をユニットハウスＰに連結して床ユニット１０を固定するように構成し、前記歩廊床１１と前記ユニットハウスＰの外側面とを支持することで前記歩廊床１１を支える支保梁１６を設け、該支保梁１６を前記歩廊床１１の下面に折り重なるように収納自在に連結し、
前記歩廊床１１の上面に前記歩廊屋根柱１３が折り重なるように揺動自在に連結して前記床ユニット１０と共に前記歩廊屋根柱１３を設置するように構成し、
前記歩廊受金具１２に固定された前記歩廊床１１の長手端部にササラ接続金具３１を連結して該ササラ接続金具３１にササラ踏み板３２を固定する階段ユニット３０を備えたものである。
【発明の効果】
【００１２】
請求項１のごとく、床ユニット１０と屋根ユニット２０とを着脱自在に組み合わせる構成により、ユニットハウスＰに装着する歩廊構造の部品点数を極力少なくすることに成功した。しかも、歩廊屋根柱１３相互の間に歩廊壁パネル１４と歩廊手摺１５とを交換自在に装着するように構成しているので、設計変更にも簡単に対応することができる。
【００１３】
床ユニット１０において、歩廊床１１の下面とユニットハウスＰの外側面とを支持することで歩廊床１１を支える支保梁１６を設け、該支保梁１６を歩廊床１１の下面に折り重なるように収納自在に連結したことで、支保梁１６が必要になる状況では、歩廊床１１から支保梁１６を取り出して歩廊床１１を支えることができる。また、この支保梁１６が不要の場合は、支保梁１６を前記歩廊床１１の下面に折り重なるように収納しているので、運搬や設置、解体が容易になり、設計変更にも簡単に対応することが可能になる。また、不使用時でも目立たず、意匠性の良い外観になる。
【００１４】
歩廊床１１の上面に歩廊屋根柱１３が折り重なるように揺動自在に連結し、床ユニット１０と共に歩廊屋根柱１３を設置するように構成しているので、設置作業が容易になり、歩廊の部品点数を少なくして軽量化することができる。
【００１５】
歩廊受金具１２に固定された歩廊床１１の長手端部にササラ接続金具３１を連結し、該ササラ接続金具３１にササラ踏み板３２を固定する階段ユニット３０を備えているので、床ユニット１０と階段ユニット３０との連結が容易で、しかも、部品点数を少なくすることができる。また、ササラ接続金具３１にササラ踏み板３２を固定する階段ユニット３０によると、２階から３階に階段ユニット３０を設置する場合でも、３階の歩廊床１１から施工ができるので、簡単且つ安全な施工が可能になる。
【００１６】
このように、本発明によると、外階段を設置する際等に装着する歩廊の部品点数を極力少なくして軽量化することで運搬や設置、解体が容易になり、設計変更にも簡単に対応することができるなどといった当初の目的を達成した。
【図面の簡単な説明】
【００１７】
【図１】本発明の使用例を示す斜視図である。
【図２】本発明の歩廊壁パネルを示し、（イ）は分解斜視図、（ロ）は分解斜視図である。
【図３】本発明の歩廊手摺を示し、（イ）は分解斜視図、（ロ）は分解斜視図である。
【図４】本発明の歩廊屋根柱と支保梁を示し、（イ）は使用状態、（ロ）は収納状態を示す側面図である。
【図５】本発明の歩廊手摺を示す正面図である。
【図６】本発明歩廊構造の一実施例を示す正面図である。
【図７】本発明の床ユニットの一実施例を示す側断面図である。
【図８】本発明の階段ユニットの連結状態を示す側断面図である。
【発明を実施するための形態】
【００１８】
以下、本発明の実施の形態を説明する。本発明は、工場で生産し、現地で組み立てるユニットハウスＰに装着する歩廊構造であり、床ユニット１０と屋根ユニット２０とを備えている（図１参照）。尚、図１の歩廊構造は、ユニットハウスＰの１階に設置する歩廊として使用している。
【００１９】
床ユニット１０は、鋼板製の歩廊床１１に歩廊屋根柱１３を立設したものである（図２（イ）参照）。
【００２０】
床ユニット１０の歩廊受金具１２は、歩廊床１１をユニットハウスＰにボルト留め固定する固定部材である。実施例の歩廊受金具１２は、予め歩廊床１１に連結されており、この歩廊受金具１２を階下の屋根梁Ｐ２にボルト留めで固定している（図７参照）。また、１階建てのユニットハウスＰに使用するには、床梁Ｐ１を利用して歩廊受金具１２を固定する（図１参照）。
【００２１】
本発明では、組み立て時において、歩廊床１１に予め歩廊受金具１２と歩廊壁パネル１４又は歩廊手摺１５とを装着した状態で、階下の屋根梁Ｐ２に固定するように構成している（図７参照）。
【００２２】
この床ユニット１０の装着を容易にするため、歩廊床１１の下面に支保梁１６を備えている（図４（イ）参照）。図示の支保梁１６は、水平材１６Ａ、垂直材１６Ｂ、斜め材１６Ｃ、当接体１６Ｄにて構成された側面略三角形状の支持部材である。水平材１６Ａは、歩廊床１１の下面に沿って連結される連結部材であり、軸回転方向に揺動する。垂直材１６Ｂは支保梁１６のユニットハウスＰ側端部から垂直に延長され、垂直材１６Ｂの下端部に設けた当接体１６ＤをユニットハウスＰの外側面に当接せしめるように構成した支持部材である。当接体１６Ｄは、ユニットハウスＰへの当接面を伸縮自在に設けることで、垂直材１６ＢとユニットハウスＰとの間隔に対応して歩廊床１１の水平性を調整できるように構成している。斜め材１６Ｃは、垂直材１６Ｂと、該垂直材１６Ｂの下端部から水平材１６Ａの他端部に連結される補強部材である。
【００２３】
そして、使用時には水平材１６Ａが軸回転方向に揺動することで、垂直材１６Ｂが垂直下方を向き、当接体１６ＤがユニットハウスＰの外側面に当接する（図４（イ）参照）。また、不使用時には垂直材１６Ｂが水平方向を向いて歩廊床１１の下端部に収納される（図５参照）。
【００２４】
一方、歩廊屋根柱１３は、歩廊床１１に立設する柱状部材で、歩廊床１１の長手両端部側に一対設けている（図２（ロ）参照）。図示の歩廊屋根柱１３は、歩廊床１１の端部に予め揺動自在に連結されたものである（図４参照）。すなわち、歩廊床１１の上面に歩廊屋根柱１３が折り重なる状態から歩廊床１１の端部側に立設するまでの範囲で揺動するように歩廊床１１の上端部にあるボルトを回転支点（ヒンジ）として連結する。そして、歩廊屋根柱１３を使用する際は、歩廊床１１の側面に、立設した歩廊屋根柱１３をボルト留めで固定する（図４（イ）参照）。また、不使用時には、歩廊床１１の側面から歩廊屋根柱１３を解除し、歩廊床１１の上に折り重ねるものである。（図４（ロ）参照）。
【００２５】
この歩廊屋根柱１３相互間には、歩廊壁パネル１４又は歩廊手摺１５を交換自在に装着する（図２、３参照）。図示の歩廊壁パネル１４は、２枚のパネル本体１４Ａと１個のパネル枠体１４Ｂとで構成されている（図２（ロ）参照）。そして、歩廊屋根柱１３の内側にパネル枠体１４Ｂを装着し、該パネル枠体１４Ｂにパネル本体１４Ａを装着して歩廊壁パネル１４を構成する（図２（イ）参照）。
【００２６】
一方、歩廊手摺１５は、歩廊屋根柱１３相互の間に固定される手摺幕板１５Ａと、該手摺幕板１５Ａの上方に間隔を空けて連結された手摺笠木１５Ｂとで構成されている（図３（イ）参照）。そして、この歩廊手摺１５を、歩廊屋根柱１３相互間に固定するものである（図３（ロ）参照）。
【００２７】
屋根ユニット２０は、歩廊屋根柱１３の上端部に連結される歩廊屋根２１と、該歩廊屋根板２１に予め連結され、ユニットハウスＰの屋根梁Ｐ２に固定して、歩廊床１１の端部を支持固定する歩廊屋根受金具２２とを備えている（図７参照）。この屋根ユニット２０は、必要により歩廊屋根柱１３とユニットハウスＰの屋根梁Ｐ２とに連結されるものである。
【００２８】
実施例では、歩廊屋根板２１に予め歩廊屋根受金具２２を設け、歩廊屋根柱１３の上端部に歩廊屋根板２１を連結する歩廊屋根梁２３を設けている（図７参照）。そして、屋根ユニット２０を設置する場合、歩廊屋根板２１の先端部を歩廊屋根梁２３の上に載置してボルト留めし、歩廊屋根板２１に設けた歩廊屋根受金具２２をユニットハウスＰの屋根梁Ｐ２にボルト留めにて固定する。
【００２９】
図６乃至図８に示す歩廊構造は、２階建てのユニットハウスＰに階段ユニット３０を設置する際に使用した実施例を示している。この実施例では、先行工事でユニットハウスＰを設置する。次に、ユニットハウスＰに床ユニット１０を固定し、この床ユニット１０に屋根ユニット２０や階段ユニット３０を連結したものである（図６参照）。
【００３０】
外階段ユニット３０の連結には、歩廊受金具１２に固定されている歩廊床１１端部に、階段ユニット３０のササラ接続金具３１をボルト留めして固定する（図８参照）。そして、ササラ接続金具３１にササラ踏み板３２をボルト留めして階段ユニット３０が連結される。図示の階段ユニット３０は、更に、ササラ屋根柱３４を介してササラ手摺３３やササラ屋根３５を備えた構成である（図６参照）。これらの構成は、階段ユニット３０の設置条件によって装着しない場合もある。このように、階段ユニット３０を装着する場合でも、必要によって、これらの構成部材を任意に選択することが可能である。
【００３１】
尚、本発明歩廊構造は図示例に限定されるものではなく、床ユニット１０や屋根ユニット２０等の構成や形状は任意に変更することができる。また、本発明の要旨を変更しない範囲での設計変更は自由に行える。
【符号の説明】
【００３２】
Ｐ  ユニットハウス
Ｐ１  床梁
Ｐ２  屋根梁
１０  床ユニット
１１  歩廊床
１２  歩廊受金具
１３  歩廊屋根柱
１４  歩廊壁パネル
１４Ａ  パネル本体
１４Ｂ  パネル枠体
１５  歩廊手摺
１５Ａ  手摺幕板
１５Ｂ  手摺笠木
１６  支保梁
２０  屋根ユニット
２１  歩廊屋根
２２  歩廊屋根受金具
２３  歩廊屋根梁
３０  階段ユニット
３１  ササラ接続金具
３２  ササラ踏み板
３３  ササラ手摺
３４  ササラ屋根柱
３５  ササラ屋根
【図１】
0006284979.tif 000002
【図２】
0006284979.tif 000003
【図３】
0006284979.tif 000004
【図４】
0006284979.tif 000005
【図５】
0006284979.tif 000006
【図６】
0006284979.tif 000007
【図７】
0006284979.tif 000008
【図８】
0006284979.tif 000009